(57)【要約】  【課題】  予圧バネの弾力が弱くなり難く、組み立て時に部品としての取り扱いが比較的容易であり、上方の軸受部材における外輪の軸方向の動きを抑制することができる歯科用ハンドピースを提供することにある。  【解決手段】  歯科処置工具を受理して着脱自在に保持するバースリーブと、バースリーブを回転可能に支承するためローターの上方及び下方に設けられた軸受部材と、上方の軸受部材を保持するための軸受ケースとを含み、上方の軸受部材の外輪上端部に溝が形成され、上方の軸受部材を押圧するための予圧バネに係止爪が形成され、予圧バネは台座部材を介して溝に配置されると共に、係止爪が溝に係止されたものである。【選択図】  図１
2007000241.tif 000002
【特許請求の範囲】
【請求項１】
歯科処置工具を受理して着脱自在に保持するバースリーブと、前記バースリーブを回転可能に支承するため前記ローターの上方及び下方に設けられた軸受部材と、上方の軸受部材を保持するための軸受ケースとを含む歯科用ハンドピースにおいて、前記上方の軸受部材の外輪上端部に溝が形成され、前記上方の軸受部材を押圧するための予圧バネに係止爪が形成され、該予圧バネは台座部材を介して該溝に配置されると共に、前記係止爪が溝に係止されたものである歯科用ハンドピース。
【発明の詳細な説明】
【技術分野】
【０００１】
本発明は、歯科用ハンドピースに関する。
【背景技術】
【０００２】
従来の歯科用ハンドピース４０は、図４に示したように、歯科処置工具４１を受理して着脱自在に保持するバースリーブ４２と、圧縮空気によってバースリーブ４２を回転駆動するためにバースリーブ４２に設けられたローター４３と、バースリーブ４２を回転可能に支承するためローター４３の上方及び下方に設けられた軸受部材４４と、これら軸受部材４４を保持するための軸受ケース４５とがヘッドハウジング４６内に設けられている。
ここで、上方の軸受部材４４を保持する軸受ケース４５の上面には、内側に突出するフランジ４５ａが形成され、フランジ４５ａの下側に軸受部材４４が配置される。このフランジ４５ａの下側面と軸受部材４４との隙間には、予圧バネとしての波型ワッシャー４７が配置され、この波型ワッシャー４７が軸受部材４４の外輪４４ａを押圧することにより、上方及び下方の両軸受部材４４に予圧がかかる構造となっている。
【発明の開示】
【発明が解決しようとする課題】
【０００３】
上記従来の歯科用ハンドピース４０で切削を行うと、歯科処置工具４１の軸方向の切削反力がバースリーブ４２から軸受部材４４に伝達し、この力が上方の軸受部材４４から波型ワッシャー４７に伝わり、波型ワッシャー４７を軸受ケース４５のフランジ４５ａの下側面に密着状態で押し付ける。この後、切削を停止した場合に、軸受部材４４の外輪４４ａがＯリング４８と外輪４４ａの摩擦力や付着物の粘性等で、元の位置に戻らず、軸受部材４４に充分な予圧がかからない状態になり、軸受部材の寿命の低下や、異音の原因となり易い問題がある。また波型ワッシャー４７が、このような密着状態で挟まれて、歯科用ハンドピース４０が継続的に使用された場合、波型ワッシャー４７の弾力が弱くなり易いという問題がある。
また波型ワッシャー４７は、軸受ケース４５のフランジ下側面と上方の軸受部材との隙間に挟んで配置するものであるため、部品としての取り扱い時に紛失し易いという問題もある。
【０００４】
本発明は従来技術の欠点に着目し、これを解決せんとしたものであり、その課題は、上方の軸受部材における外輪の軸方向の動きを抑制して予圧不足が発生せず、予圧バネの弾力が弱くなり難く、組み立て時に部品としての取り扱いが比較的容易である歯科用ハンドピースを提供することにある。
【課題を解決するための手段】
【０００５】
上記課題を解決するために、本発明では、歯科処置工具を受理して着脱自在に保持するバースリーブと、前記バースリーブを回転可能に支承するため前記ローターの上方及び下方に設けられた軸受部材と、上方の軸受部材を保持するための軸受ケースとを含む歯科用ハンドピースにおいて、前記上方の軸受部材の外輪上端部に溝が形成され、前記上方の軸受部材を押圧するための予圧バネに係止爪が形成され、該予圧バネは台座部材を介して該溝に配置されると共に、前記係止爪が溝に係止されたものである歯科用ハンドピースが提供される。
上記構成の歯科用ハンドピースでは、予圧バネが、従来品のように軸受ケースと軸受部材とに挟まれて外輪の軸方向の動きが制限されることによる予圧不足が発生せず、予圧バネも密着状態にならないため、弾力低下が生じ難いものである。また予圧バネは、その係止爪が軸受外輪の溝に係止するものであるため、製造工程における取り扱いが比較的容易である。
【発明の効果】
【０００６】
本発明の歯科用ハンドピースでは、予圧不足が発生し難く、予圧バネの弾力が弱くなり難く、組み立て時に部品としての取り扱いが比較的容易である。
【発明を実施するための最良の形態】
【０００７】
以下、本発明の一実施形態を図面に基づいて説明する。
【０００８】
図１は本発明にかかる歯科用ハンドピース１０のヘッド部１１の断面図であり、図２は図１を部分的に拡大した断面図である。歯科用ハンドピース１０は、歯科処置工具１２を着脱自在に保持するバースリーブ１３と、圧縮空気によってバースリーブ１３を回転駆動するためにバースリーブ１３に設けられたローター１４と、バースリーブ１３を回転可能に支承するためローター１４の上方及び下方に設けられた軸受部材１５，１６とを、ヘッドハウジング１７内に備えている。このヘッドハウジング１７には上方の軸受部材１５を固定するための軸受ケース１９が設けられており、この軸受ケース１９の外周部がヘッドキャップを兼ねている。また歯科用ハンドピース１０には、ローター１４に圧縮空気を供給するための給気通路（図示せず）及びローター１４に供給された圧縮空気を排出するための排気通路（図示せず）が設けられている。
なお、本実施形態では、エアタービン式歯科用ハンドピースに適用したものを例示したが、本発明は他の駆動方法によるハンドピースにも適用可能である。
【０００９】
ここで、前記軸受ケース１９の上端には内側へ突出するフランジ１９ａが形成され、このフランジ１９ａの下側に、台座部材２０及び予圧バネ２１を介して、上方の軸受部材１５が固定される。台座部材２０は平らなワッシャからなり、予圧バネ２１は図３（ａ）（ｂ）に示したように外周に突出した係止爪２１ａを有するウェーブワッシャからなる。
また軸受部材１５は、バースリーブ１３の外周面に転がり部材１５ａを保持する曲面が形成され、ここに配置された転がり部材１５ａがリテーナー１５ｂで保持され、それらの外周に外輪１５ｃが固定される。この外輪１５ｃは、図２に示したように、上端１５ｄがフランジ１９ａの下側面に僅かな隙間を取って配置され、上端内側に溝１５ｅが形成されている。溝１５ｅには台座部材２０を載せるための載置面１５ｆと、予圧バネ２１の係止爪２１ａを係止させるための凹部１５ｇとが設けられ、予圧バネ２１は台座部材２０の上に載せられている。
【００１０】
以上のように、本発明にかかる歯科用ハンドピース１０では、軸受部材１５の外輪１５ｃに溝１５ｅが形成され、この溝１５ｅの載置面１５ｆに台座部材２０が載せられ、この台座部材２０の上に予圧バネ２１が配置され、予圧バネ２１の係止爪２１ａを溝１５ｅの凹部１５ｇに係止させるものであるため、これら外輪１５ｃと台座部材２０と予圧バネ２１とを組み立てた後には、これら部品は分解し難く、製造工程における部品の取り扱いが比較的容易である。
また、予圧バネ２１は、台座部材２０を介して、軸受部材１５の外輪１５ｃと軸受ケース１９のフランジ１９ａとの間に取り付けられたものであるため、一定圧で軸受部材を付勢すると共に、従来品のように予圧バネが軸受ケースと軸受外輪とに挟まれて密着状態にならず、予圧バネ２１の弾力低下が生じ難いものである。
【図面の簡単な説明】
【００１１】
【図１】本発明にかかる歯科用ハンドピースの主要部を説明するための断面図である。
【図２】図１の拡大断面図である。
【図３】（ａ）（ｂ）は、それぞれ図１における予圧バネの平面図及び側面図である。
【図４】従来の歯科用ハンドピースを説明するための断面図である。
【符号の説明】
【００１２】
１０  歯科用ハンドピース
１２歯科処置工具
１３  バースリーブ
１４  ローター
１５  上方の軸受部材
１５ｃ  外輪
１５ｅ  溝
１９  軸受ケース
１９ａ  フランジ
２０  台座部材
２１  予圧バネ
２１ａ  係止爪
【図１】
2007000241.tif 000003
【図２】
2007000241.tif 000004
【図３】
2007000241.tif 000005
【図４】
2007000241.tif 000006